(57)【要約】【課題】盗難防止装置を装着しても商品の閲覧や操作がし難くなることを極力防止すること。【解決手段】商品に設けられたプラグ装着部２０に装着可能な商品接続用プラグ４と、電源アダプタに接続された電源アダプタプラグ９を装着するための電源アダプタプラグ装着部６と、該電源アダプタプラグ装着部６より入力された直流電力を前記商品接続用プラグ４に伝達する伝達回路と、前記商品接続用プラグ４の脱着を検出する脱着検出手段１５と、該脱着検出手段１５による前記商品接続用プラグ４の離脱検出に基づいて発報する発報手段１６、１７と、を備える。【選択図】  図１
2004295535.tif 000002
【特許請求の範囲】
【請求項１】
商品に設けられた直流電源を供給するための２極プラグ装着部に装着可能な商品接続用プラグと、
交流電力から生成した直流電力を供給する電源アダプタに接続された電源アダプタプラグを装着するための電源アダプタプラグ装着部と、
該電源アダプタプラグ装着部より入力された直流電力を前記商品接続用プラグに伝達する伝達回路と、
前記商品接続用プラグの脱着を検出する脱着検出手段と、
該脱着検出手段による前記商品接続用プラグの離脱検出に基づいて発報する発報手段と、
を備えることを特徴とする盗難防止装置。
【請求項２】
前記脱着検出手段は、前記商品接続用プラグの装着により、前記商品に供給される直流電圧の電位差を信号として検出する回路にて形成されている請求項１に記載の盗難防止装置。
【請求項３】
前記電源アダプタプラグ装着部より入力される直流電力の供給の有無を検出する電力供給検出手段と、前記直流電力の供給が無くなったときに、少なくとも前記発報手段を動作させるための電力を供給する電源手段と、を備え、
前記発報手段は、前記電力供給検出手段により直流電力の供給が無くなったことの検出に基づいて、前記電源手段から供給される電力により発報する請求項１または２に記載の盗難防止装置。
【請求項４】
前記電源手段は、前記電源アダプタプラグ装着部より直流電力の供給があるときには、該供給される直流電力を盗難防止装置の動作電力として供給する請求項３に記載の盗難防止装置。
【発明の詳細な説明】
【０００１】
【発明の属する技術の分野】
本発明は、商店等において、商品の盗難防止に利用される盗難防止装置に関する。
【０００２】
【従来の技術】
従来、これら盗難防止装置としては、盗難防止装置本体から導出するタグを取り付けたり、盗難防止装置本体から導出されたワイヤーを什器等に巻き付け、これらタグやワイヤーの取外しや切断等を盗難防止装置本体が検出して発報するものがある。（特許文献１）
【０００３】
【特許文献１】
特開平８−１４７５７３号公報
【０００４】
【発明が解決しようとする課題】
しかしながら、商品が電子機器等の電力を必要とするものである場合には、展示において動作させるために、ＡＣアダプター等により外部から電源を供給する場合が多く、これらＡＣアダプター等に接続されている商品に対して前記した従来の盗難防止装置を装着する場合には、前記タグと盗難防止装置本体とを接続するコードやワイヤーがＡＣアダプターの電源コードとは個別に商品に接続されることになり、これら複数のワイヤーやコードが接続されているために、これらのワイヤーやコードが絡んで商品を閲覧や操作をし難い場合があるという問題があった。
【０００５】
更には、これら盗難防止装置を装着する場合には、ＡＣアダプターの電源コードを取外してタグをテープ等にて貼り付けたたり、ワイヤーを巻き付ける等の作業を行う必要があり、これらの作業が煩雑であるという問題もあった。
【０００６】
よって、本発明は上記した問題点に着目してなされたもので、盗難防止装置を取り付けても、商品の閲覧や操作がし難くなることを極力防止することができ、盗難防止装置を煩雑な作業を行うことなく容易に取付けることのできる盗難防止装置を提供することを目的としている。
【０００７】
【課題を解決するための手段】
前記した問題を解決するために、本発明の盗難防止装置は、商品に設けられた直流電源を供給するためのプラグ装着部に装着可能な商品接続用プラグと、
交流電力から生成した直流電力を供給する電源アダプタに接続された電源アダプタプラグを装着するための電源アダプタプラグ装着部と、
該電源アダプタプラグ装着部より入力された直流電力を前記商品接続用プラグに伝達する伝達回路と、
前記商品接続用プラグの脱着を検出する脱着検出手段と、
該脱着検出手段による前記商品接続用プラグの離脱検出に基づいて発報する発報手段と、
を備えることを特徴としている。
この特徴によれば、前記商品接続用プラグを商品に設けられた直流電源を供給するためのプラグ装着部に装着し、電源アダプタプラグを電源アダプタプラグ装着部に装着することで、商品に電源アダプタからの直流電力が供給されるとともに、盗難において前記商品接続用プラグが離脱した場合には、該離脱が脱着検出手段にて検出されて発報手段による発報がなされることから、盗難防止装置を煩雑な作業を行うことなく容易に取付けることのできるとともに、従来のように、商品に複数のワイヤーやコードが接続されることがなくなることから、商品の閲覧や操作がし難くなることを極力防止することができる。
【０００８】
本発明の盗難防止装置は、前記脱着検出手段は、前記商品接続用プラグの装着により、前記商品に供給される直流電圧の電位差を信号として検出する回路にて形成されていることが好ましい。
このようにすれば、脱着検出手段を簡素な構成にて形成できるとともに、確実に着脱の検出を実施できる。
【０００９】
本発明の盗難防止装置は、前記電源アダプタプラグ装着部より入力される直流電力の供給の有無を検出する電力供給検出手段と、前記直流電力の供給が無くなったときに、少なくとも前記発報手段を動作させるための電力を供給する電源手段と、を備え、
前記発報手段は、前記電力供給検出手段により直流電力の供給が無くなったことの検出に基づいて、前記電源手段から供給される電力により発報することが好ましい。
このようにすれば、盗難に際して、電源アダプタがコンセントから抜かれたり、電源アダプタと電源アダプタプラグとを接続するコードが切断されたり、電源アダプタプラグが抜かれた場合でも、前記電力供給検出手段により直流電力の供給が無くなったことの検出に基づいて、前記電源手段から供給される電力によって発報が実施されるようになる。
【００１０】
本発明の盗難防止装置は、前記電源手段は、前記電源アダプタプラグ装着部より直流電力の供給があるときには、該供給される直流電力を盗難防止装置の動作電力として供給することが好ましい。
このようにすれば、直流電力の供給があるときには、直流電力の供給がないときに電力を供給するための電池等の電力を消費せずに済むことから、電池の寿命や交換頻度を大幅に低減できる。
【００１１】
【発明の実施の形態】
以下、図面に基づいて本発明の実施形態を説明する。
図１は、本実施例の盗難防止装置を示す外観斜視図であり、図２（ａ）および（ｂ）は、本実施例の盗難防止装置に用いた、商品側の電源供給部に装着する商品接続用２極プラグと商品側の電源供給部と、その接続状況を示す拡大断面図であり、図３は、本実施例の盗難防止装置に用いた回路構成を示す回路図である。
【００１２】
本実施例の盗難防止装置１は、図１に示されるような外観を有しており、直方体の外装ケースから成る本体２と、盗難を防止する商品に装着される商品接続用プラグとして用いられる商品接続用２極プラグ４と、該商品接続用２極プラグ４と本体とを接続する接続ケーブル５とから主に構成されている。
【００１３】
また、本体２の側面外周には、警報を発報する薄型のサウンダ１７が内設されている報音部８が形成されているとともに、その上面には、電源手段を構成する電池７を装填する際に開放される開閉蓋３が設けられていて、該開閉蓋３内部には電池７を二本装填できるようになっている。
【００１４】
前記接続ケーブル５が導出された本体２の側面外周と反対側の側面には、コンセントから供給される交流電力を直流電力に変換して供給するＡＣアダプタからの電源アダプタ２極プラグ９を装着するための電源アダプタ２極プラグ装着部６が設けられており、本体２内部には、図３に示す回路を有する図示しない基板が内設されていることで、該電源アダプタ２極プラグ装着部６にＡＣアダプタからの電源アダプタ２極プラグ９を装着することにより、該電源アダプタ２極プラグ装着部６から供給された電力が、前記商品接続用２極プラグ４を介して盗難を防止する商品に設けられている２極プラグ装着部２０（図２参照）に供給されるようになっている。
【００１５】
次いで、本実施例に用いた前記商品接続用２極プラグ４の構成について、図２に基づいて説明すると、本実施例の商品接続用２極プラグ４は、盗難を防止する商品に設けられている２極プラグ装着部２０が、通常の２極プラグ（雌プラグ）であることから、該通常の２極プラグ（雌プラグ）に装着できるようにほぼ通常の２極プラグ（雄プラグ）と同様の構成とされている。
【００１６】
つまり、通常の２極プラグ（雌プラグ）は、図２に示すように、一方が開放された円筒状のハウジング２１の中央に、高電位の直流電圧が供給される陽極（陰極の場合もある）となる円柱状の電極ピン２２が設けられているとともに、前記ハウジング２１の内部の側壁近傍位置には、装着される２極プラグ（雄プラグ）の陰極（陽極の場合もある）と接触して導通するための側部電極２３が設けられた構成とされている。
【００１７】
また、該２極プラグ装着部２０に装着される商品接続用２極プラグ４は、前記側部電極２３と当接して導通するために、前記ハウジング２１の内部空間に挿入可能とされた所定の円筒状とされた金属製の外部電極１１と、その内部に設けられ、装着により前記電極ピン２２が挿入されることで該電極ピン２２と導通するための中央電極１２とが設けられているとともに、該中央電極１２の内方側には、電極ピン２２が中央電極１２に挿入されることで、その先端と接触、導通するように配置された検出電極１３が設けられており、前記外部電極１１には接続ケーブル５内の接続コードＡが接続され、前記中央電極１２には接続コードＣが接続され、前記検出電極１３には接続コードＢが接続されている。
【００１８】
この本実施例の商品接続用２極プラグ４が２極プラグ装着部２０に良好に装着されることで、図２（ｂ）に示すように、外部電極１１と側部電極２３とが接触・導通し、中央電極１２と電極ピン２２とが接触・導通するとともに、前記電極ピン２２を介して中央電極１２と検出電極１３とが短絡されるようになっており、商品接続用２極プラグ４が２極プラグ装着部２０から離脱されると、前記電極ピン２２と検出電極１３との接触・導通が解除されて、中央電極１２と検出電極１３との短絡が解除されるようになっており、この中央電極１２と検出電極１３との短絡の状況を検知することで、商品接続用２極プラグ４の離脱を検知できるようになっている。
【００１９】
次いで、本実施例における盗難防止装置１の回路構成は、図３に示すようになっており、前記中央電極１２に接続される接続コードＣは、前記電源アダプタ２極プラグ装着部６の陽極（＋）に電気的に接続されるとともに、前記外部電極１１に接続される接続コードＡは、前記電源アダプタ２極プラグ装着部６の陰極（−）に電気的に接続されることで、前記電源アダプタ２極プラグ装着部６に図示しないＡＣアダプタから供給された直流電力が、前記外部電極１１と中央電極１２とから、側部電極２３と電極ピン２２に供給されるようになり、盗難を防止する商品に電力が供給される。
【００２０】
また、前記接続コードＡ並びに接続コードＣは、図３に示すように、前記本体２内に内設されている基板（図示略）上に設けられている電圧検出機能を有する検出回路１５の端子ｃ並びに端子ａに接続されているとともに、前記検出電極１３に接続されている接続コードＢも検出回路１５の端子ｂに接続されているとともに、該接続コードＢは、抵抗Ｒ１を介して接続コードＡに電気的に接続されることで接地電位にプルダウンされている。
【００２１】
この検出回路１５には、前記サウンダ１７に接続されている発報回路１６が接続されており、検出回路１５からの発報信号の出力に基づいて、発報回路１６がサウンダ１７を鳴動させて発報を実施する。
【００２２】
これら発報回路１６並びに検出回路１５を動作させる電力は、供給される直流電流を、発報回路１６並びに検出回路１５が動作する所定電圧の直流に変換して供給するＤＣ／ＤＣコンバータ１８から供給されるようになっており、該ＤＣ／ＤＣコンバータ１８に供給される電力としては、整流ダイオードＤ１を介して前記接続コードＣに供給される直流電圧、または整流ダイオードＤ２を介して前記電池７の直流電圧のいずれか高電圧の直流電圧が供給されるようになっており、通常においては、盗難される商品に供給される電圧が３Ｖ以上であるため、本実施例では、接続コードＣに直流電力の供給がある場合には、該接続コードＣから供給される直流電力が主に使用され、該接続コードＣからの直流電力の供給が無くなった際に、前記電池７から供給される直流電力が使用されるようになっている。尚、ＤＣ／ＤＣコンバータ１８から出力された所定電圧の直流電力は、前記検出回路１５の電力として電力端子（Ｖ）に供給される。
【００２３】
以下、本実施例の盗難防止装置１の動作について説明すると、まず、盗難を防止したい商品の２極プラグ装着部２０から電源アダプタ２極プラグ９を取外し、該取り外した電源アダプタ２極プラグ９を前記電源アダプタ２極プラグ装着部６に装着する。
【００２４】
このように、電源アダプタ２極プラグ装着部６に電源アダプタ２極プラグ９を装着することで、図４（ｂ）  に示すように、前記接続コードＡ並びに接続コードＣにそれぞれ接続されている検出回路１５の端子ａと端子ｃとの間の電圧は、低電位から高電位へと変化し、該高電位を保持するようになる。
【００２５】
次いで、前記電源アダプタ２極プラグ９の装着後の所定時間内に盗難防止装置１の商品接続用２極プラグ４を盗難を防止したい商品の２極プラグ装着部２０に装着することで、中央電極１２と検出電極１３とが短絡して接続コードＢが接続されている検出電極１３が抵抗Ｒ１による低電位に抗して高電位に引き上げられ、図４（ａ）  に示すように、前記接続コードＢに接続されている検出回路１５の端子ｂの電圧は、接続コードＡと同じ低電位から、接続コードＣの電位と同じ高電位へと変化し、該高電位を保持されるようになる。
【００２６】
尚、本実施例では、前記発報回路１６内に、起動後所定時間内は発報しないようにするためのタイマが内蔵されており、盗難防止装置１に発報が実施されてしまうことを回避できるようになっている。
【００２７】
そして、前記開閉蓋３を開けて電池７を装填した後、該開閉蓋３を閉じて盗難防止装置１の装着を終了する。尚、この際、これら開閉蓋３を開けて電池７が容易に取り出せないように、開閉蓋３の開閉を困難とする開閉防止手段を設ける等は任意とされる。
【００２８】
この状態において、盗難が発生して商品が持ち去られる状況としては、第１として前記商品接続用２極プラグ４が抜かれて商品が持ち去られる場合と、第２には、接続ケーブル５が切断されて商品が持ち去られる場合と、第３には、ＡＣアダプタがコンセントから抜かれて商品が持ち去られる場合と、第４には、ＡＣアダプタと盗難防止装置１の間のコードが切断される場合と、第５には、電源アダプタ２極プラグ９が電源アダプタ２極プラグ装着部６から抜かれて持ち去られる場合と、が想定される。
【００２９】
まず、前記第１並びに第２の場合には、商品接続用２極プラグ４が抜かれる或いは接続ケーブル５が切断されることで、図４（ａ）  に示すように、前記中央電極１２と検出電極１３との短絡による接続コードＢに接続されている端子ｂの電位が、高電位である接続コードＣの電位と同じ電位から接続コードＡと同じ低電位に変化するようになるため、この端子ｂの電位変化を検出回路１５が検出することで、前記発報回路１６に対し発報信号が出力され、サウンダ１７が鳴動させて発報が行われる。
【００３０】
また、前記第３〜第５の場合には、いずれもＡＣアダプタからの直流電流の供給が断たれることになるため、図４（ｂ）に示すように、前記接続コードＡに接続されている端子ａと、接続コードＣに接続されている端子ｃ間の間の電圧が大幅に低下してしまうことから、この電圧の変化を検出回路１５が検出することで、前記発報回路１６に対し発報信号が出力され、サウンダ１７が鳴動させて発報が行われる。
【００３１】
以上、本実施例の盗難防止装置１によれば、盗難に際して商品がどのような状況にて持ち去られる場合においても発報が実施されるとともに、商品に電力を供給するＡＣアダプタと商品本体との間に盗難防止装置１を設けるようになるため、盗難防止装置１を煩雑な作業を行うことなく容易に取付けることのできるばかりか、従来のように、商品に複数のワイヤーやコードが接続されることがなくなることから、商品の閲覧や操作がし難くなることを極力防止することができる。
【００３２】
以上、本発明を図面に基づいて説明してきたが、本発明はこれら前記各実施例に限定されるものではなく、本発明の主旨を逸脱しない範囲での変更や追加があっても、本発明に含まれることは言うまでもない。
【００３３】
例えば、前記実施例においては、商品接続用２極プラグ４の形態として、図２に示すように、検出電極１３を有する形態を示したが、本発明はこれに限定されるものではなく、これら商品接続用２極プラグ４の形態としては、図５に示すように、中央電極１２を互いに電気的に絶縁された対向する中央電極１２’として設け、その一方に接続コードＢを、他方に接続コードＣを接続することで、電極ピン２２が挿入されることにより、対向する中央電極１２’同士が短絡するようにしても良く、これら商品接続用２極プラグ４の抜き取りを検知するための機構等は、適宜に選択すれば良い。
【００３４】
また、前記実施例においては、商品接続用２極プラグの脱着を検出する脱着検出手段として、前記商品接続用２極プラグの装着により、前記商品に供給される直流電圧の電位差を信号として検出する前記検出回路１５を用いており、このようにすることは、脱着検出手段を簡素な構成にて形成できるとともに、確実に着脱の検出を実施できることから好ましいが、本発明はこれに限定されるものではなく、これら脱着検出手段としては、商品接続用２極プラグの脱着を検出できるものであれば、例えば装着によりＯＮ状態となるマイクロスイッチ等のように、任意のものを使用することができる。
【００３５】
また、前記実施例においては、発報手段として、発報回路１６とサウンダ１７とを用いているが、本発明はこれに限定されるものではなく、これら発報手段としては、音以外に光や無線等にて盗難を報知するものも好適に使用することができる。
【００３６】
また、前記実施例においては、電源手段として電池７を有する構成としており、このようにすることは、盗難に際して、ＡＣアダプタがコンセントから抜かれたり、ＡＣアダプタと電源アダプタ２極プラグとを接続するコードが切断されたり、電源アダプタ２極プラグが抜かれた場合でも、前記電力供給検出手段により直流電力の供給が無くなったことの検出に基づいて、前記電源手段から供給される電力によって発報が実施されるようになることから好ましいが、本発明はこれに限定されるものではなく、これら電池を有しない構成としても良い。
【００３７】
また、前記実施例においては、記電源手段を構成するＤＣ／ＤＣコンバータ１８には、電池７からの直流電力とともに、前記電源アダプタ２極プラグ装着部６よりＡＣアダプタからの直流電力の供給があるときには、該供給される直流電力を発報回路１６やサウンダ１７並びに検出回路１５の動作電力として供給するようにしており、このようにすることは、直流電力の供給があるときには、直流電力の供給がないときに電力を供給するための電池等の電力を消費せずに済むことから、電池の寿命や交換頻度を大幅に低減できることから好ましいが、本発明はこれに限定されるものではなく、これらＡＣアダプタからの直流電力を動作電力として使用しない構成としても良い。
【００３８】
【発明の効果】
本発明は次の効果を奏する。
（ａ）請求項１の発明によれば、前記商品接続用プラグを商品に設けられた直流電源を供給するためのプラグ装着部に装着し、電源アダプタプラグを電源アダプタプラグ装着部に装着することで、商品に電源アダプタからの直流電力が供給されるとともに、盗難において前記商品接続用プラグが離脱した場合には、該離脱が脱着検出手段にて検出されて発報手段による発報がなされることから、盗難防止装置を煩雑な作業を行うことなく容易に取付けることのできるとともに、従来のように、商品に複数のワイヤーやコードが接続されることがなくなることから、商品の閲覧や操作がし難くなることを極力防止することができる。
【００３９】
（ｂ）請求項２の発明によれば、脱着検出手段を簡素な構成にて形成できるとともに、確実に着脱の検出を実施できる。
【００４０】
（ｃ）請求項３の発明によれば、盗難に際して、電源アダプタがコンセントから抜かれたり、電源アダプタと電源アダプタプラグとを接続するコードが切断されたり、電源アダプタプラグが抜かれた場合でも、前記電力供給検出手段により直流電力の供給が無くなったことの検出に基づいて、前記電源手段から供給される電力によって発報が実施されるようになる。
【００４１】
（ｄ）請求項４の発明によれば、直流電力の供給があるときには、直流電力の供給がないときに電力を供給するための電池等の電力を消費せずに済むことから、電池の寿命や交換頻度を大幅に低減できる。
【図面の簡単な説明】
【図１】本発明の実施例における盗難防止装置を示す外観斜視図である。
【図２】（ａ）、（ｂ）は、本発明の実施例における盗難防止装置に用いた商品接続用２極プラグの構成とその接続状況を示す拡大断面図である。
【図３】本発明の実施例における盗難防止装置の回路構成を示すブロック図である。
【図４】（ａ）は、本発明の実施例における検出回路の端子ａ−ｂ間における電圧の変化状況を示す図であり、（ｂ）は、本発明の実施例における検出回路の端子ａ−ｃ間における電圧の変化状況を示す図である。
【図５】（ａ）、（ｂ）は、その他の形態の商品接続用２極プラグの構成とその接続状況を示す拡大断面図である。
【符号の説明】
１      盗難防止装置
２      本体
３      開閉蓋
４      商品接続用２極プラグ
５      接続ケーブル
６      電源アダプタ２極プラグ装着部
７      電池
８      報音部
９      電源アダプタ２極プラグ
１１    外部電極
１２    中央電極
１３    検出電極
１５    検出回路
１６    発報回路
１７    サウンダ
１８    ＤＣ／ＤＣコンバータ
２０    ２極プラグ装着部
２１    ハウジング
２２    電極ピン
２３    側部電極
Ａ      接続コード
Ｂ      接続コード
Ｃ      接続コード
Ｄ１    整流ダイオード
Ｄ２    整流ダイオード
Ｒ１    抵抗
【図１】
2004295535.tif 000003
【図２】
2004295535.tif 000004
【図３】
2004295535.tif 000005
【図４】
2004295535.tif 000006
【図５】
2004295535.tif 000007